(57)【要約】  マルチアングルのためのＡ／Ｖデータが含まれたコンテンツの記録に使われる、コンテンツについての付加情報を生成し、コンテンツ及び付加情報を伝送するコンテンツ伝送方法である。
2012502405.tif 000002
【特許請求の範囲】
【請求項１】
コンテンツ伝送装置で、コンテンツを伝送する方法において、
マルチアングルのためのＡ／Ｖデータが含まれたコンテンツの記録に使われる、前記コンテンツについての付加情報を生成する段階と、
前記コンテンツと前記付加情報とを、前記付加情報に基づいて、前記コンテンツを記録媒体に記録するコンテンツ記録装置に伝送する段階と、を含むことを特徴とするコンテンツ伝送方法。
【請求項２】
前記付加情報は、前記コンテンツに係わるコンテンツ構成情報を含み、
前記コンテンツ構成情報は、前記Ａ／Ｖデータの名称、前記Ａ／Ｖデータの大きさ情報、前記Ａ／Ｖデータのタイプ情報、及び前記Ａ／Ｖデータがマルチアングルを支援するか否かを示すマルチアングル情報のうち、少なくともいずれか一つを含むことを特徴とする請求項１に記載のコンテンツ伝送方法。
【請求項３】
前記Ａ／Ｖデータは、前記マルチアングルのうち一つである第１アングルのための第１Ａ／Ｖデータ、及び前記マルチアングルのうち他の一つである第２アングルのための第２  Ａ／Ｖデータを含み、
前記伝送する段階は、前記第１  Ａ／Ｖデータ及び前記第２  Ａ／Ｖデータをインターリービングして伝送することを特徴とする請求項２に記載のコンテンツ伝送方法。
【請求項４】
前記マルチアングル情報は、
インターリービングされた前記第１  Ａ／Ｖデータ、及び前記第２  Ａ／Ｖデータそれぞれについての情報を含むことを特徴とする請求項３に記載のコンテンツ伝送方法。
【請求項５】
前記コンテンツは、
前記Ａ／Ｖデータの再生を制御するのに使われるナビゲーション・データをさらに含むことを特徴とする請求項１に記載のコンテンツ伝送方法。
【請求項６】
コンテンツ記録装置でコンテンツを記録する方法において、
マルチアングルのためのＡ／Ｖデータが含まれたコンテンツと、前記コンテンツの記録に使われる前記コンテンツについての付加情報と、を受信する段階と、
前記付加情報に基づいて、前記コンテンツを記録媒体に記録する段階と、を含むことを特徴とするコンテンツ記録方法。
【請求項７】
前記付加情報は、前記コンテンツについての情報であるコンテンツ構成情報を含み、
前記コンテンツ構成情報は、前記Ａ／Ｖデータの名称、前記Ａ／Ｖデータの大きさ情報、前記Ａ／Ｖデータのタイプ情報、及び前記Ａ／Ｖデータがマルチアングルを支援するか否かを示すマルチアングル情報のうち、少なくともいずれか一つを含むことを特徴とする請求項６に記載のコンテンツ記録方法。
【請求項８】
前記マルチアングルのうち一つである第１アングルのための第１  Ａ／Ｖデータ、及び前記マルチアングルのうち他の一つである第２アングルのための第２  Ａ／Ｖデータがインターリービングされて含まれた前記Ａ／Ｖデータを受信する段階をさらに含むことを特徴とする請求項６に記載のコンテンツ記録方法。
【請求項９】
前記Ａ／Ｖデータは、前記マルチアングルのうち一つである第１アングルのための第１Ａ／Ｖデータ、及び前記マルチアングルのうち他の一つである第２アングルのための第２  Ａ／Ｖデータを含み、
前記記録する段階は、前記付加情報によって、前記第１  Ａ／Ｖデータ及び前記第２  Ａ／Ｖデータをインターリービングし、前記第１  Ａ／Ｖデータ及び前記第２  Ａ／Ｖデータをインターリービングされた状態で記録する段階を含むことを特徴とする請求項７に記載のコンテンツ記録方法。
【請求項１０】
前記コンテンツは、前記Ａ／Ｖデータの再生を制御するためのナビゲーション・データを含み、
前記記録媒体は、ブルーレイディスクであることを特徴とする請求項８に記載のコンテンツ記録方法。
【請求項１１】
前記インターリービングする段階は、
前記第１  Ａ／Ｖデータ及び前記第２
Ａ／Ｖデータを所定サイズのインターリービング・ブロックに分割する段階と、
前記第１  Ａ／Ｖデータに係わるインターリービング・ブロックと、前記第２  Ａ／Ｖデータに係わるインターリービング・ブロックとを交差し、前記記録媒体に記録する段階と、を含むことを特徴とする請求項８に記載のコンテンツ記録方法。
【請求項１２】
前記付加情報に基づいて、前記コンテンツがマルチアングルのためのＡ／Ｖデータを含むか否かを判断する段階をさらに含むことを特徴とする請求項６に記載のコンテンツ記録方法。
【請求項１３】
前記コンテンツが、マルチアングルのためのＡ／Ｖデータを含むと判断されれば、前記付加情報に基づいて、前記マルチアングルのためのＡ／Ｖデータがインターリービングされているか否かを判断する段階をさらに含むことを特徴とする請求項１２に記載のコンテンツ記録方法。
【請求項１４】
コンテンツを伝送する装置において、
マルチアングルのためのＡ／Ｖデータが含まれたコンテンツの記録に使われる、前記コンテンツについての付加情報を生成する情報生成部と、
前記コンテンツと前記付加情報とを、前記付加情報に基づいて、前記コンテンツを記録媒体に記録するコンテンツ記録装置に伝送する伝送部と、を含むことを特徴とするコンテンツ伝送装置。
【請求項１５】
前記付加情報は、前記コンテンツについての情報であるコンテンツ構成情報を含み、
前記コンテンツ構成情報は、前記Ａ／Ｖデータの名称、前記Ａ／Ｖデータの大きさ情報、前記Ａ／Ｖデータのタイプ情報、及び前記Ａ／Ｖデータがマルチアングルを支援するか否かを示すマルチアングル情報のうち、少なくともいずれか一つを含むことを特徴とする請求項１４に記載のコンテンツ伝送装置。
【請求項１６】
前記Ａ／Ｖデータは、前記マルチアングルのうち一つである第１アングルのための第１Ａ／Ｖデータ、及び前記マルチアングルのうち他の一つである第２アングルのための第２  Ａ／Ｖデータを含み、
前記伝送部は、前記第１  Ａ／Ｖデータと前記第２  Ａ／Ｖデータとをインターリービングして伝送することを特徴とする請求項１５に記載のコンテンツ伝送装置。
【請求項１７】
前記マルチアングル情報は、
インターリービングされた前記第１  Ａ／Ｖデータ、及び前記第２  Ａ／Ｖデータそれぞれについての情報を含むことを特徴とする請求項１６に記載のコンテンツ伝送装置。
【請求項１８】
前記コンテンツは、
前記Ａ／Ｖデータの再生を制御するのに使われるナビゲーション・データをさらに含むことを特徴とする請求項１４に記載のコンテンツ伝送装置。
【請求項１９】
コンテンツを記録する装置において、
マルチアングルのためのＡ／Ｖデータが含まれたコンテンツと、前記コンテンツの記録に使われる前記コンテンツについての付加情報と、を受信する受信部と、
前記付加情報に基づいて、前記コンテンツを記録媒体に記録する記録部と、を含むことを特徴とするコンテンツ記録装置。
【請求項２０】
前記付加情報は、前記コンテンツについての情報であるコンテンツ構成情報を含み、
前記コンテンツ構成情報は、前記Ａ／Ｖデータの名称、前記Ａ／Ｖデータの大きさ情報、前記Ａ／Ｖデータのタイプ情報、及び前記Ａ／Ｖデータがマルチアングルを支援するか否かを示すマルチアングル情報のうち、少なくともいずれか一つを含むことを特徴とする請求項１９に記載のコンテンツ記録装置。
【請求項２１】
前記受信部は、前記マルチアングルのうち一つである第１アングルのための第１  Ａ／Ｖデータ、及び前記マルチアングルのうち他の一つである第２アングルのための第２  Ａ／Ｖデータがインターリービングされて含まれた前記Ａ／Ｖデータを受信することを特徴とする請求項１９に記載のコンテンツ記録装置。
【請求項２２】
前記Ａ／Ｖデータは、前記マルチアングルのうち一つである第１アングルのための第１Ａ／Ｖデータ、及び前記マルチアングルのうち他の一つである第２アングルのための第２  Ａ／Ｖデータを含み、
前記記録部は、前記付加情報に基づいて、前記第１  Ａ／Ｖデータ及び前記第２  Ａ／Ｖデータをインターリービングするインターリービング部を含むことを特徴とする請求項１９に記載のコンテンツ記録装置。
【請求項２３】
前記コンテンツは、前記Ａ／Ｖデータの再生を制御するためのナビゲーション・データを含み、
前記記録媒体は、ブルーレイディスクであることを特徴とする請求項２２に記載のコンテンツ記録装置。
【請求項２４】
前記インターリービング部は、
前記第１  Ａ／Ｖデータ及び前記第２  Ａ／Ｖデータを所定サイズのインターリービング・ブロックに分割し、前記第１  Ａ／Ｖデータに係わるインターリービング・ブロックと、前記第２  Ａ／Ｖデータに係わるインターリービング・ブロックとを交差し、前記記録媒体に記録することを特徴とする請求項２２に記載のコンテンツ記録装置。
【請求項２５】
請求項１に記載の方法を実行させるためのプログラムが記録されたコンピュータで読み取り可能な記録媒体。
【請求項２６】
請求項６に記載の方法を実行させるためのプログラムが記録されたコンピュータで読み取り可能な記録媒体。
【請求項２７】
コンテンツ記録装置でコンテンツを記録する方法において、
マルチアングルのためのＡ／Ｖデータを含むコンテンツの記録に使われる前記コンテンツについての付加情報を受信する段階と、
前記付加情報に基づいて、前記コンテンツがマルチアングルのためのＡ／Ｖデータを含むか否かを判断する段階と、
前記コンテンツがマルチアングルのためのＡ／Ｖデータを含むと判断されれば、前記付加情報に基づいて、前記マルチアングルのためのＡ／Ｖデータがインターリービングされているか否かを判断する段階と、
前記マルチアングルのためのＡ／Ｖデータがインターリービングされたと判断されれば、前記付加情報に基づいて、前記コンテンツを記録媒体に記録する段階と、
前記Ａ／Ｖデータがインターリービングされていないと判断されれば、マルチアングルのうち一つである第１アングルのための第１
Ａ／Ｖデータと、マルチアングルのうち他の一つである第２アングルのための第２ Ａ／Ｖデータとをインターリービングし、前記記録媒体に記録する段階と、を含むことを特徴とするコンテンツ記録方法。
【発明の詳細な説明】
【技術分野】
【０００１】
本発明は、コンテンツを伝送する方法及びその装置、並びにコンテンツを記録する方法及びその装置に関する。
【背景技術】
【０００２】
今日、情報通信技術及びデータ加工技術が発達するにつれて、大容量高画質のデータへの需要が増大している。大容量のデータを保存するための記録媒体として、ＤＶＤ（digital  versatile  disc）またはブルーレイディスクのような次世代記録媒体が登場している。大容量のデータに係わる一例としては、マルチアングルを支援するＡ／Ｖ（audio/video）データを挙げることができる。マルチアングルを支援するＡ／Ｖデータは、同一時点において異なる角度で撮影した映像であり、ユーザは、所望の角度の映像を選択的に視聴できるのである。
【発明の概要】
【発明が解決しようとする課題】
【０００３】
本発明の目的は、マルチアングルを支援するＡ／Ｖデータが含まれたコンテンツを伝送する方法及び装置と、マルチアングルを支援するＡ／Ｖデータが含まれたコンテンツを記録する方法及び装置と、を提供するところにある。
【課題を解決するための手段】
【０００４】
前記の目的を達成するための本発明の一実施形態が有する特徴は、マルチアングルのためのＡ／Ｖデータが含まれたコンテンツの記録に使われる、前記コンテンツについての付加情報を生成する段階と、前記コンテンツと前記付加情報とを伝送する段階と、を含むことである。
【０００５】
前記付加情報は、前記コンテンツを構成する少なくとも１つのデータについての情報であるコンテンツ構成情報を含み、前記コンテンツ構成情報は、前記Ａ／Ｖデータの名称、前記Ａ／Ｖデータの大きさ情報、前記Ａ／Ｖデータのタイプ情報、及び前記Ａ／Ｖデータがマルチアングルを支援するか否かを示すマルチアングル情報のうち、少なくともいずれか一つを含むことができる。
【０００６】
前記Ａ／Ｖデータは、前記マルチアングルのうち一つである第１アングルのための第１Ａ／Ｖデータ、及び前記マルチアングルのうち他の一つである第２アングルのための第２  Ａ／Ｖデータがインターリービングされうる。
【０００７】
前記マルチアングル情報は、前記第１  Ａ／Ｖデータ及び前記第２  Ａ／Ｖデータについての情報を含むことができる。
【０００８】
前記コンテンツは、前記Ａ／Ｖデータの再生を制御するのに使われるナビゲーション・データをさらに含むことができる。
【０００９】
本発明の他の実施形態が有する特徴は、マルチアングルのためのＡ／Ｖデータが含まれたコンテンツと、前記コンテンツの記録に使われる前記コンテンツについての付加情報と、を受信する段階；前記付加情報に基づいて、前記コンテンツを記録する段階；を含むことである。
【００１０】
前記付加情報は、前記コンテンツを構成する少なくとも１つのデータについての情報であるコンテンツ構成情報を含み、前記コンテンツ構成情報は、前記Ａ／Ｖデータの名称、前記Ａ／Ｖデータの大きさ情報、前記Ａ／Ｖデータのタイプ情報、及び前記Ａ／Ｖデータがマルチアングルを支援するか否かを示すマルチアングル情報のうち、少なくともいずれか一つを含むことができる。
【００１１】
前記Ａ／Ｖデータは、前記マルチアングルのうち一つである第１アングルのための第１Ａ／Ｖデータ、及び前記マルチアングルのうち他の一つである第２アングルのための第２  Ａ／Ｖデータがインターリービングされたものでありうる。
【００１２】
前記Ａ／Ｖデータは、前記マルチアングルのうち一つである第１アングルのための第１Ａ／Ｖデータ、及び前記マルチアングルのうち他の一つである第２アングルのための第２  Ａ／Ｖデータを含み、前記記録する段階は、前記第１  Ａ／Ｖデータ及び前記第２  Ａ／Ｖデータをインターリービングする段階を含むことができる。
【００１３】
前記コンテンツは、前記Ａ／Ｖデータの再生を制御するためのナビゲーション・データを含み、前記記録する段階は、前記Ａ／Ｖデータをブルーレイディスクに記録することができる。
【００１４】
前記インターリービングする段階は、前記第１  Ａ／Ｖデータ及び前記第２  Ａ／Ｖデータを所定サイズのインターリービング・ブロックに分割する段階と、前記第１  Ａ／Ｖデータに係わるインターリービング・ブロックと、前記第２
Ａ／Ｖデータに係わるインターリービング・ブロックとを入れ違えて記録する段階と、を含むことができる。
【００１５】
本発明の他の実施形態が有する特徴は、マルチアングルのためのＡ／Ｖデータが含まれたコンテンツの記録に使われる、前記コンテンツについての付加情報を生成する情報生成部と、前記コンテンツと前記付加情報とを伝送する伝送部を含むことである。
【００１６】
本発明の他の実施形態が有する特徴は、マルチアングルのためのＡ／Ｖデータが含まれたコンテンツと、前記コンテンツの記録に使われる前記コンテンツについての付加情報と、を受信する受信部と、前記付加情報に基づいて、前記コンテンツを記録する記録部と、を含むことである。
【００１７】
本発明の他の実施形態が有する特徴は、コンテンツ記録装置でコンテンツを記録する方法において、マルチアングルのためのＡ／Ｖデータを含むコンテンツの記録に使われる前記コンテンツについての付加情報を受信する段階と、前記付加情報に基づいて、前記コンテンツがマルチアングルのためのＡ／Ｖデータを含むか否かを判断する段階と、前記コンテンツがマルチアングルのためのＡ／Ｖデータを含むと判断されれば、前記付加情報に基づいて、前記マルチアングルのためのＡ／Ｖデータがインターリービングされているか否かを判断する段階と、前記マルチアングルのためのＡ／Ｖデータがインターリービングされたと判断されれば、前記付加情報に基づいて、前記コンテンツを記録媒体に記録する段階と、前記Ａ／Ｖデータがインターリービングされていないと判断されれば、マルチアングルのうち一つである第１アングルのための第１  Ａ／Ｖデータと、マルチアングルのうち他の一つである第２アングルのための第２  Ａ／Ｖデータとをインターリービングし、前記記録媒体に記録する段階と、を含むことである。
【００１８】
本発明の他の実施形態が有する１つの実施形態は、コンテンツを記録するシステムにおいて、コンテンツ伝送装置及びコンテンツ記録装置を含み、前記コンテンツ伝送装置は、マルチアングルのためのＡ／Ｖデータを含むコンテンツの記録に使われる前記コンテンツについての付加情報を生成する情報生成部と、前記コンテンツと前記付加情報とを伝送する伝送部と、を含み、前記コンテンツ記録装置は、前記コンテンツについての付加情報及び前記コンテンツを受信する受信部と、前記付加情報に基づいて、前記コンテンツを記録媒体に記録する記録部と、を含むことである。
【図面の簡単な説明】
【００１９】
【図１】本発明の一実施形態によるコンテンツ伝送装置に係わるブロック図である。
【図２】本発明の一実施形態によるコンテンツ伝送装置を介して伝送されるコンテンツの構造に係わる一例を示す図である。
【図３】本発明の一実施形態によるコンテンツ伝送装置を介して伝送されるコンテンツ構成情報に係わる一例を示す図である。
【図４】本発明の一実施形態によるコンテンツ伝送装置を介して伝送されるコンテンツ構成情報に係わる他の例を示す図である。
【図５】本発明の一実施形態によるコンテンツ記録装置に係わるブロック図である。
【図６】本発明の一実施形態によるコンテンツ記録装置が受信されたコンテンツを記録する一例を示す図である。
【図７】本発明の一実施形態によるコンテンツ記録装置が受信されたコンテンツを記録する他の例を示す図である。
【図８】本発明の一実施形態によるコンテンツ再生装置で、コンテンツを再生する過程を示す図である。
【図９】本発明の一実施形態によるコンテンツ伝送方法に係わるフローチャートである。
【図１０】本発明の一実施形態によるコンテンツ記録方法に係わるフローチャートである。
【図１１】本発明の他の実施形態によるコンテンツ記録方法に係わるフローチャートである。
【発明を実施するための形態】
【００２０】
以下、添付された図面を参照しつつ、本発明の望ましい実施形態について詳細に説明する。
【００２１】
図１は、本発明の一実施形態によるコンテンツ伝送装置１００に係わるブロック図を示している。コンテンツ伝送装置１００は、パソコン、ノート型パソコン、モバイル機器、ワークステーションなどでありうる。
【００２２】
本発明の一実施形態によるコンテンツ伝送装置１００は、情報生成部１１０及び伝送部１２０を含む。
【００２３】
情報生成部１１０は、コンテンツの記録に必要な付加情報を生成する。付加情報は、マルチアングル機能が提供されるように、コンテンツの記録に必要ないかなる情報も可能である。本明細書でマルチアングル機能は、同一時点で異なる角度から撮影した２以上の映像のうち、少なくとも一つをユーザが選択して視聴できるようにする機能である。マルチアングル機能を支援するためには、異なるアングルから撮影した２以上のＡ／Ｖ（audio／video）データが必要である。
【００２４】
付加情報は、コンテンツを構成する少なくとも１つのデータについての情報であるコンテンツ構成情報を含むことができる。コンテンツ構成情報に係わる一例は、図２で述べる。
【００２５】
コンテンツ構成情報には、コンテンツを構成する少なくとも１つのデータそれぞれの名称、大きさ情報、タイプ情報、及び少なくとも１つのデータそれぞれがマルチアングルを支援するデータであるか否かを示すマルチアングル情報のうち、少なくともいずれか一つが含まれうる。マルチアングル情報は、マルチアングルと関連したいかなる情報も含まれ、アングルの個数、それぞれのアングルのためのＡ／Ｖデータの名称、それぞれのアングルのためのＡ／Ｖデータの大きさ情報のうち、少なくともいずれか一つが含まれうる。
【００２６】
コンテンツ伝送装置１００を介して伝送されるコンテンツは、マルチアングルを支援するＡ／Ｖデータ、マルチアングルを支援しないＡ／Ｖデータ、Ａ／Ｖデータを制御するのに使われるナビゲーション・データのように、多様な形式のデータが含まれうる。以下では、説明の便宜のためにコンテンツは、マルチアングルを支援するＡ／Ｖデータを含むものであると仮定し、マルチアングルを支援するＡ／Ｖデータに基づいて、本発明の望ましい実施形態について説明する。
【００２７】
マルチアングルを支援する複数のＡ／Ｖデータは、インターリービングされた後で１つのストリームでもって伝送されたり、インターリービングされていない状態で独立して伝送されうる。同じ対象を第１アングルで撮影した第１  Ａ／Ｖデータと第２アングルで撮影した第２  Ａ／Ｖデータとが提供されると仮定する。このとき、第１  Ａ／Ｖデータと第２
Ａ／Ｖデータは、別途のストリームでもって伝送されうるが、インターリービングされて１つのストリームでもって伝送されもする。
【００２８】
第１  Ａ／Ｖデータと第２  Ａ／Ｖデータとがインターリービングされた１つのストリームが伝送されれば、後述するコンテンツ記録装置５００（図５）では、伝送されたストリームを記録媒体にそのまま記録することができる。しかし、第１  Ａ／Ｖデータと第２  Ａ／Ｖデータとが別途のストリームでもって伝送されれば、コンテンツ記録装置５００では、第１  Ａ／Ｖデータと第２  Ａ／Ｖデータとをインターリービングして記録媒体に記録する。
【００２９】
第１  Ａ／Ｖデータと第２  Ａ／Ｖデータとがインターリービングされた後、１つのストリームを介して伝送される場合に係わる一例は、図３で述べ、第１  Ａ／Ｖデータと第２  Ａ／Ｖデータとが別途のストリームを介して伝送される場合に係わる一例は、図４で後述する。
【００３０】
情報生成部１１０は、コンテンツに係わるメタデータをさらに生成できる。コンテンツに係わるメタデータは、コンテンツ名称、コンテンツの制作者、コンテンツの総再生時間、俳優、あらすじのように、コンテンツに係わるいかなる情報も可能である。
【００３１】
伝送部１２０は、コンテンツ及び付加情報を伝送する。このとき、伝送部１２０は、インターネットのようなネットワーク（例えば、ＩＥＥＥ  １３９４ネットワーク）を介して、コンテンツ及び付加情報をともに伝送したり、無線／有線（例えば、ＵＳＢ、infrared、ブルーツース）を介して直接伝送できる。一実施形態では、伝送部１２０が付加情報をコンテンツと別途に伝送できる。また、伝送部１２０は、コンテンツに係わるメタデータをさらに伝送することができる。ユーザは、コンテンツに係わるメタデータに基づいて、受信するコンテンツを選択したり、受信されたコンテンツを分類できる。
【００３２】
図２は、本発明の一実施形態によるコンテンツ伝送装置１００を介して伝送されるコンテンツ２２０の構造に係わる一例を示している。図２に図示されたコンテンツ２２０は、コンテンツ構成情報２２２、ナビゲーション・ファイル２２４、Ａ／Ｖストリーム・ファイル２２５〜２２７を含む。
【００３３】
ナビゲーション・ファイル２２４は、Ａ／Ｖストリーム・ファイル２２５〜２２７の再生を制御するための情報である。コンテンツ２２０をブルーレイ（Blu-ray）ディスクに記録する場合、ナビゲーション・ファイル２２４は、インデックス・ファイル（index  file）、オブジェクト・ファイル（movie  object  file）、プレイリスト・ファイル（playlist  file）及びクリップ情報ファイル（clip  info  files）のうち、少なくとも一つを含むことができる。ナビゲーション・ファイル２２４に含まれる情報は、記録しようとする記録媒体の種類によって変わり、前述の情報は、その例示に過ぎない。
【００３４】
第１  Ａ／Ｖストリーム・ファイル２２５は、マルチアングルを支援しないＡ／Ｖストリーム・ファイルである。
【００３５】
第２  Ａ／Ｖストリーム・ファイル２２６及び第３  Ａ／Ｖストリーム・ファイル２２７は、マルチアングルを支援するＡ／Ｖストリーム・ファイルである。第２  Ａ／Ｖストリーム・ファイル２２６及び第３  Ａ／Ｖストリーム・ファイル２２７は、インターリービングされ、１つのＡ／Ｖストリーム・ファイルでもって伝送され、インターリービングされたＡ／Ｖストリーム・ファイルを、後述するコンテンツ構成情報２２２内の「file［０］」に対応すると仮定する。
【００３６】
図２に図示されたコンテンツ構成情報２２２は、コンテンツ２２０を記録するのに使われる付加情報の一例であり、コンテンツ２２０を構成するファイル２２４〜２２７についての情報を提供する。コンテンツ構成情報２２２は、「directory」フィールド、「file  name」フィールド、「file  type」フィールド、「file size」フィールド、「IsInterleaved」フィールド、「NumberOfInterleavedStream」フィールド、「InterleavedStreamfiles」フィールドを含むことができるが、本発明がこれに限定されるものではない。すなわち、他の実施形態では、コンテンツ構成情報２２２が一部フィールドを排除したり、他のフィールドを含むことができる。
【００３７】
「Directory」フィールドは、ファイルが記録媒体上に記録されるときに使われるディレクトリを示している。
【００３８】
「File  name」フィールド及び「file  size」フィールドは、ファイルの名称及び大きさをそれぞれ示している。
【００３９】
「File  type」フィールドは、ファイルのタイプを示し、ナビゲーション・ファイルまたはＡ／Ｖストリーム・ファイルに分類したり、Ａ／Ｖストリーム・ファイルを、マルチアングルを支援するＡ／Ｖストリーム・ファイルと、マルチアングルを支援しないＡ／Ｖストリーム・ファイルとに細分化して示すこともできる。このように、ファイルのタイプは、実施形態によって多様に分類されうる。
【００４０】
「IsInterleaved」フィールドは、現在ファイル（file［０］）がインターリービングされていたり、インターリービングされるファイルであるか否かを示している。「file［０］」フィールドに対応するファイルが、マルチアングルを支援するＡ／Ｖストリーム・ファイルであるか否かを示す。図２では、「IsInterleaved」フィールド値が「True」を示している。
【００４１】
「File［０］」フィールドに対応するファイルが、マルチアングルを支援するＡ／Ｖストリーム・ファイルである場合、「NumberOfInterleavedStream」フィールドは、いくつのＡ／Ｖストリーム・ファイルが、現在ファイル（file［０］）にインターリービングされているか示す。すなわち、「NumberOfInterleavedStream」フィールドには、コンテンツがいくつのアングルを支援するかについての情報が含まれる。図２では、「NumberOfInterleavedStream」フィールド値が「２」を示している。
【００４２】
「InterleavedStreamfiles」フィールドは、インターリービングＡ／Ｖストリーム・ファイルについての情報（例えば、名称、大きさ）を示す。すなわち、「InterleavedStreamfiles」フィールドには、マルチアングルのためのＡ／Ｖストリーム・ファイルについての情報が含まれる。図２では、「InterleavedStreamfiles」フィールドに、第２  Ａ／Ｖストリーム・ファイル２２６及び第３  Ａ／Ｖストリーム・ファイル２２７についての情報が含まれるのである。
【００４３】
コンテンツ・メタデータ２１０には、コンテンツ名称（title  name）、コンテンツ２２０の制作者（direct）、演技者（actor）、シノプシス（synopsis）、再生時間（run  time）のようにコンテンツ２２０と関連したいかなる情報も含まれうる。
【００４４】
図３は、本発明の一実施形態によるコンテンツ伝送装置１００を介して伝送されるコンテンツ構成情報３００に係わる一例を示している。図３で、マルチアングルを支援する論理的に区別される２つのＡ／Ｖデータファイルがインターリービングされた後、１つのＡ／Ｖストリーム・ファイルを介して伝送される。
【００４５】
図３の左側には、コンテンツの記録に使われる付加情報の一例として、コンテンツ構成情報３００が図示されている。
【００４６】
「File  name」フィールド及び「file  type」フィールドを参考にすれば、「file［０］」フィールドに対応する「index．bdmv」ファイル３１０は、ナビゲーション・ファイルであり、「file［１］」フィールドに対応する「０００００．ｍ２ｔｓ」ファイル３２０、及び「file［２］」フィールドに対応する「ＩＬＶStream．ｍ２ｔｓ」ファイル３３０は、Ａ／Ｖストリーム・ファイルであることが分かる。
【００４７】
「IsInterleaved」フィールドを参考にすれば、「０００００．ｍ２ｔｓ」ファイル３２０は、マルチアングルを支援しないＡ／Ｖストリーム・ファイルであり、「ＩＬＶStream．ｍ２ｔｓ」ファイル３３０は、マルチアングルを支援するＡ／Ｖストリーム・ファイルであることが分かる。
【００４８】
「NumberOfInterleavedStream」フィールド及び「InterleavedStreamFiles」フィールドを参考にすれば、「file［２］」に対応する「ＩＬＶStream．ｍ２ｔｓ」ファイルには、「００００１．ｍ２ｔｓ」ファイルと、「００００２．ｍ２ｔｓ」ファイルとがインターリービングされていることが分かる。
【００４９】
図３の右側には、本発明の一実施形態によるコンテンツ伝送装置１００が伝送するコンテンツに含まれたファイルが図示されている。
【００５０】
コンテンツには、「index．bdmv」３１０、「０００００．ｍ２ｔｓ」３２０及び「ＩＬＶStream．ｍ２ｔｓ」３３０ファイルが含まれる。このとき、「ＩＬＶStream．ｍ２ｔｓ」３３０ファイルは、「００００１．ｍ２ｔｓ」３３２ファイルと、００００２．ｍ２ｔｓ」３３４ファイルとがインターリービングされたストリーム・ファイルであり、陰影が表示された部分は「００００１．ｍ２ｔｓ」３３２ファイルに該当し、陰影が表示されていない部分は、「００００２．ｍ２ｔｓ」３３４ファイルに該当する。
【００５１】
図４は、本発明の一実施形態によるコンテンツ伝送装置１００を介して伝送されるコンテンツ構成情報４００に係わる他の例を示している。図４で、マルチアングルを支援する論理的に区別される２つのＡ／Ｖデータは、インターリービングされずに、別途のＡ／Ｖストリーム・ファイルを介して伝送される。
【００５２】
図４の左側には、コンテンツの記録に使われる付加情報の一例として、コンテンツ構成情報４００が図示されている。図４のコンテンツ構成情報４００は、「file［２］」フィールドを除外すれば、図３のコンテンツ構成情報３００と同一である。従って、以下では、「file［０］」フィールド及び「file［１］」フィールドについては説明を省略する。
【００５３】
「file［２］」フィールドは、「０００１．ｍ２ｔｓ」ファイル４３０についての情報を含んでいる。「NumberOfInterleavedStream」フィールド及び「InterleavedStreamfiles」フィールドを参考にすれば「０００１．ｍ２ｔｓ」ファイル４３０と、「０００２．ｍ２ｔｓ」ファイル４４０とがマルチアングルのためのＡ／Ｖデータであることが分かる。
【００５４】
コンテンツ構成情報４００に含まれたフィールドの種類及び形式は、実施形態によって変更されうる。一例として、マルチアングルを支援する複数個のＡ／Ｖストリームがインターリービングされずに伝送されるところを示すフィールドが追加されうる。また、「０００１．ｍ２ｔｓ」ファイル４３０と、「０００２．ｍ２ｔｓ」ファイル４４０とに係わる情報が、「file［２］」フィールドにいずれも含まれるようにすることができるが、別途のフィールドに分離されるようにすることもできる。
【００５５】
図４の右側には、本発明の一実施形態によるコンテンツ伝送装置１００が伝送するコンテンツに含まれたファイルが図示されている。
【００５６】
コンテンツには、「index．bdmv」４１０、「０００００．ｍ２ｔｓ」４２０、「００００１．ｍ２ｔｓ」４３０及び「００００２．ｍ２ｔｓ」４２０が含まれる。マルチアングルを支援するＡ／Ｖストリーム・ファイルである「００００１．ｍ２ｔｓ」４２０及び「００００２．ｍ２ｔｓ」４３０は、インターリービングされていない状態で、２つのストリーム・ファイルを介してそれぞれ伝送される。後述するコンテンツ記録装置５００は、本発明の一実施形態によるコンテンツ構成情報に基づいて「００００１．ｍ２ｔｓ」４２０及び「００００２．ｍ２ｔｓ」４３０をインターリービングして記録するのである。「００００１．ｍ２ｔｓ」４２０及び「００００２．ｍ２ｔｓ」４３０をインターリービングして記録する方法に係わる説明は、図７で後述する。
【００５７】
図５は、本発明の一実施形態によるコンテンツ記録装置５００に係わるブロック図を示している。
【００５８】
本発明の一実施形態によるコンテンツ記録装置５００は、受信部５１０及び記録部５２０を含む。
【００５９】
受信部５１０は、コンテンツと、コンテンツの記録に使われるコンテンツについての付加情報とをネットワークを介して受信する。コンテンツは、マルチアングルを支援するＡ／Ｖデータ、マルチアングルを支援しないＡ／Ｖデータ及びナビゲーション・データのうち少なくとも一つを含むことができる。
【００６０】
付加情報には、コンテンツの記録に必要ないかなる情報も含まれうる。一例として、付加情報は、コンテンツを構成する少なくとも１つのデータに係わるコンテンツ構成情報を含むことができる。コンテンツがマルチアングルのためのＡ／Ｖデータを含むならば、コンテンツ構成情報は、Ａ／Ｖデータの名称、Ａ／Ｖデータの大きさ情報、Ａ／Ｖデータのタイプ情報、及びＡ／Ｖデータがマルチアングルを支援するデータであることを示すマルチアングル情報を含むことができる。以下では、マルチアングルを支援するＡ／Ｖデータに基づいて説明する。
【００６１】
記録部５２０は、付加情報に基づいて、コンテンツを記録する。コンテンツが記録される対象は、ＤＶＤ（digital  versatile  disc）、ＣＤ−ＲＷ（compact  disc-rewritable）、ハードディスクなど、多様であるが、以下では、ブルーレイディスクに記録すると仮定する。
【００６２】
マルチアングルのための複数個のＡ／Ｖデータは、インターリービングされた状態でコンテンツに含まれうるが、そうではないこともある。しかし、コンテンツがブルーレイディスクに記録される場合には、マルチアングルのための複数個のＡ／Ｖデータがインターリービングされた状態で記録されねばならない。
【００６３】
もしマルチアングルのための複数個のＡ／Ｖデータがインターリービングされた状態でコンテンツに含まれたとすれば、記録部５２０は、付加情報に基づいて、データの配置及び管理を担当するファイルシステム・データを生成し、生成されたファイルシステム・データと、インターリービングされたＡ／Ｖデータとをブルーレイディスクに記録する。
【００６４】
しかし、マルチアングルのための複数個のＡ／Ｖデータがインターリービングされていない状態で、コンテンツに含まれたとすれば、記録部５２０は、ファイルシステム・データを生成すると同時に、複数個のＡ／Ｖデータをインターリービングした後、ブルーレイディスクに記録せねばならない。
【００６５】
説明の便宜のために、マルチアングルを支援するＡ／Ｖデータは、第１アングルのための第１  Ａ／Ｖデータと、第２アングルのための第２  Ａ／Ｖデータとであると仮定する。
【００６６】
記録部５２０は、第１  Ａ／Ｖデータと第２  Ａ／Ｖデータとをインターリービングするインターリービング部５２２を含む。インターリービング部５２２は、第１  Ａ／Ｖデータと第２  Ａ／Ｖデータとを、所定サイズのインターリービング・ブロックに分割する。このとき、インターリービング・ブロックの大きさは、第１  Ａ／Ｖデータ及び第２  Ａ／Ｖデータに対応するクリップ情報（clip  info）から獲得する。インターリービング・ブロックの大きさは一定でもあり、一定ではないこともある。
【００６７】
第１  Ａ／Ｖデータと第２  Ａ／Ｖデータとが所定サイズのインターリービング・ブロックに分割されれば、インターリービング部５２２は、第１  Ａ／Ｖデータに係わるインターリービング・ブロックと、第２  Ａ／Ｖストリームに係わるインターリービング・ブロックとを入れ違えて記録する。
【００６８】
マルチアングルを支援する複数個のＡ／Ｖデータがインターリービングされた状態でコンテンツに含まれた場合に係わる説明は、図６で後述し、インターリービングされていない状態でコンテンツに含まれた場合に係わる説明は、図７で後述する。
【００６９】
図６は、本発明の一実施形態によるコンテンツ記録装置５００が受信されたコンテンツを記録する一例を示している。図６のコンテンツには、マルチアングルのための複数個のＡ／Ｖデータがインターリービングされた状態で存在する。
【００７０】
図６の左側には、コンテンツの記録に使われる付加情報の一例として、コンテンツ構成情報６００が図示されている。コンテンツ構成情報６００を参考にすれば、コンテンツは、３個のファイルから構成される。図６に図示されたコンテンツ構成情報６００は、図３に図示されたコンテンツ構成情報３００と類似しているので、以下説明を省略する。
【００７１】
図６の右側には、コンテンツに含まれたファイルと、ファイルが記録されるディスクとの関係が図示されている。ファイルが記録されるディスクの一例としては、ブルーレイディスクを挙げることができるが、ブルーレイディスクに限定されるものではない。
【００７２】
ブルーレイディスク６５０は、lead-in  ６５２、volume  space  ６５４及びlead-out６５６の領域に分割され、データは、volume  space  ６５４に保存される。Volume  space  ６５４に保存されるデータ６４０は、ファイルシステム（file  system）６４２、ナビゲーション・ファイル（navigation  file）６４４、ストリーム・ファイル６４６，６４８を含む。
【００７３】
ファイルシステム・フィールド６４２は、ブルーレイディスク６５０上でデータの物理的な配置及び管理を担当するファイルシステム・データが記録される。
【００７４】
ナビゲーション・ファイル・フィールド６４４には、データの再生を制御するのに使われる情報であるナビゲーション・データが記録される。ナビゲーション・データは、ブルーレイディスク６５０に論理的に区別されるいくつのストリームが記録されるか、論理的に区別されるそれぞれのストリームが記録される位置はどこであるかというようなストリームについての情報を含むことができる。ナビゲーション・データには、論理的に区別されるそれぞれのストリームについての付加情報であるクリップ情報が含まれうる。
【００７５】
ストリームフィールド６４６，６４８には、データストリームが記録される。図６では、ストリームフィールド６４６，６４８には、Ａ／Ｖデータファイルが記録されるが、テキストファイルの他の形式のデータが記録されもする。
【００７６】
コンテンツは、「index．bdmv」６１０、「０００００．ｍ２ｔｓ」６２０及び「ＩＬＶStream．ｍ２ｔｓ」６３０の三個のファイルを含む。
【００７７】
「Index．bdmv」６１０ファイルは、ナビゲーション・ファイルであって、データ構造６４０内のナビゲーション・ファイル・フィールド６４４に記録される。
【００７８】
「０００００．ｍ２ｔｓ」６２０ファイルは、マルチアングルを支援しないＡ／Ｖデータファイルであって、データ構造６４０内のストリームフィールド６４６に保存される。
【００７９】
「ＩＬＶStream．ｍ２ｔｓ」６３０ファイルは、マルチアングルを支援するＡ／Ｖデータファイルであって、データ構造６４０内のストリームフィールド６４８に保存される。「ＩＬＶStream．ｍ２ｔｓ」６３０ファイルは、「００００１．ｍ２ｔｓ」ファイルと「００００２．ｍ２ｔｓ」ファイルとがインターリービングされた状態である。「ＩＬＶStream．ｍ２ｔｓ」ファイル６３０内の陰影が表示されたブロックは、「００００１．ｍ２ｔｓ」ファイルと関連したブロックであり、陰影が表示されていないブロックは、「００００２．ｍ２ｔｓ」ファイルと関連した部分であるが、その反対でもありうる。
【００８０】
以下では、本発明の一実施形態によるコンテンツ記録装置５００が、コンテンツ構成情報６００に基づいて、コンテンツをブルーレイディスクに記録する過程について説明する。
【００８１】
まず、コンテンツ記録装置５００は、コンテンツ伝送装置１００からコンテンツ構成情報６００及びコンテンツを受信する。コンテンツ伝送装置１００と、コンテンツ記録装置５００は、インターネットのような外部通信網を介して連結されている。
【００８２】
コンテンツ構成情報６００が受信されれば、コンテンツ記録装置５００は、コンテンツ構成情報６００をパージングして、ブルーレイディスクに記録するファイルのリストを生成し、ファイルリストにマルチアングルを支援するＡ／Ｖデータが存在するか否かを判断する。図５では、「ＩＬＶStream．ｍ２ｔｓ」６３０ファイルがマルチアングルを支援するＡ／Ｖデータである。
【００８３】
コンテンツ記録装置５００は、コンテンツ構成情報６００から、「ＩＬＶStream．ｍ２ｔｓ」６３０ファイルが、「００００１．ｍ２ｔｓ」ファイルと「００００２．ｍ２ｔｓ」ファイルとがインターリービングされたものであることを確認し、インターリービング情報を獲得する。インターリービング情報は、インターリービング・ブロックの大きさ情報を含むことができ、インターリービング・ブロックの大きさ情報は、「００００１．ｍ２ｔｓ」ファイルに係わるクリップ情報と、「００００２．ｍ２ｔｓ」ファイルに係わるクリップ情報とを分析することによって確認することができる。一例として、クリップ情報には、アングル変更を行うことができる地点であるエントリーポイントに係わる位置情報が含まれ、エントリーポイントに係わる位置情報から、インターリービング・ブロックの大きさ情報を獲得できる。エントリーポイントが存在する位置を基準にファイルが分割されたり、所定個数のエントリーポイントを単位に、ファイルが分割されうるためである。
【００８４】
前述のクリップ情報は、ナビゲーション・データに含まれて伝送され、この場合、コンテンツ記録装置５００は、「index．bdmv」ファイル６１０から、「００００１．ｍ２ｔｓ」ファイルと、「００００２．ｍ２ｔｓ」ファイルとに係わるクリップ情報を獲得することによって、インターリービング・ブロックの大きさを確認するのである。
【００８５】
インターリービング・ブロックの大きさ情報が獲得されば、コンテンツ記録装置５００は、獲得したインターリービング情報と、記録されるファイルのリストとに基づいて、ファイルシステム・データを生成する。
【００８６】
ファイルシステム・データが生成されれば、ファイルシステム・フィールド６４２にファイルシステム・データを記録し、ファイルシステム・データに基づいて、「index．bdmv」ファイル６１０をナビゲーションフィールド６４４に記録し、「０００００．ｍ２ｔｓ」ファイル６２０及び「ＩＬＶStream．ｍ２ｔｓ」ファイル６３０を、ストリームフィールド６４６，６４８に記録する。
【００８７】
ブルーレイディスクでは、マルチアングルを支援するＡ／Ｖデータがインターリービングされて記録されねばならないので、ネットワークを介してＡ／Ｖデータを受信し、これをブルーレイに記録する場合には、インターリービング情報を知ることができず、マルチアングルが支援されるように、Ａ／Ｖデータを記録することが不可能であった。しかし、本発明の一実施形態によるコンテンツ記録装置では、コンテンツの記録に使われる付加情報をコンテンツと共に受信し、付加情報を利用することによって、マルチアングルが提供されるように、Ａ／Ｖデータを記録することができる。
【００８８】
図７は、本発明の一実施形態によるコンテンツ記録装置５００が受信されたコンテンツを記録する他の例を示している。図７のコンテンツには、マルチアングルのための複数個のＡ／Ｖデータがインターリービングされていない状態でコンテンツに含まれている。
【００８９】
図７の左側には、コンテンツの記録に使われる付加情報の一例として、コンテンツ構成情報７００が図示されている。図７に図示されたコンテンツ構成情報７００は、図４に図示されたコンテンツ構成情報４００と類似しているので、以下説明を省略する。
【００９０】
図７の右側には、コンテンツに含まれたファイルと、ファイルが記録されるディスクとの関係が図示されている。コンテンツは、「index．bdmv」７１０、「０００００．ｍ２ｔｓ」７２０、「００００１．ｍ２ｔｓ」７３０及び「００００２．ｍ２ｔｓ」７４０の４つのファイルを含む。
【００９１】
「Index．bdmv」７１０ファイルは、ナビゲーション・データであって、データ構造７４０内のナビゲーション・ファイル・フィールド７５４に記録される。
【００９２】
「０００００．ｍ２ｔｓ」７２０ファイルはマルチアングルを支援しないＡ／Ｖデータファイルであって、データ構造７５０内のストリーム・フィールド７５６に保存される。
【００９３】
「００００１．ｍ２ｔｓ」７３０ファイル及び「００００２．ｍ２ｔｓ」７４０ファイルは、マルチアングルを支援するＡ／Ｖデータであって、インターリービングされた後、ストリーム・フィールド７５８に保存される。
【００９４】
以下では、本発明の一実施形態によるコンテンツ記録装置５００が、コンテンツ構成情報７００に基づいて、コンテンツをブルーレイディスクに記録する過程について説明する。
【００９５】
コンテンツ構成情報７００が受信されれば、コンテンツ記録装置５００は、コンテンツ構成情報７００をパージングして、ブルーレイディスクに記録するファイルのリストを生成し、ファイルリストにマルチアングルを支援するＡ／Ｖデータが存在するか否かを判断する。図７では、「００００１．ｍ２ｔｓ」７３０ファイル及び「００００２．ｍ２ｔｓ」７４０ファイルが、マルチアングルを支援するＡ／Ｖデータである。
【００９６】
コンテンツ記録装置５００は、「index．bdmv」７１０ファイルから、「００００１．ｍ２ｔｓ」ファイルと、「００００２．ｍ２ｔｓ」ファイルとに係わるクリップ情報を獲得することによって、インターリービング・ブロックの大きさ情報のようなインターリービング情報を獲得する。
【００９７】
コンテンツ記録装置５００は、獲得したインターリービング情報と、ファイルリストとに基づいて、ファイルシステム・データを生成する。ファイルシステム・データが生成されれば、ファイルシステム・フィールド７４２にファイルシステム・データを記録し、ファイルシステム・データに基づいて、「index．bdmv」ファイル７１０をナビゲーション・ファイル・フィールド７５４に記録し、「０００００．ｍ２ｔｓ」ファイル７２０をストリーム・フィールド７５６に記録し、「００００１．ｍ２ｔｓ」７３０ファイル及び「００００２．ｍ２ｔｓ」７４０ファイルを、ストリーム・フィールド７４８に記録する。
【００９８】
このとき、獲得したインターリービング・ブロックの大きさ情報に基づいて、「００００１．ｍ２ｔｓ」７３０ファイル及び「００００２．ｍ２ｔｓ」７４０ファイルから、一定単位のデータを抽出し、順次に交差配置して記録する。すなわち、「００００１．ｍ２ｔｓ」７３０ファイルから、インターリービング・ブロックサイズに該当するデータを獲得して記録した後、「００００２．ｍ２ｔｓ」７４０ファイルから、次のインターリービング・ブロックサイズに該当するデータを獲得して記録する。この後、「００００１．ｍ２ｔｓ」７３０ファイルから、次のインターリービング・ブロックサイズに該当するデータを獲得して記録する。このような方法で、「００００１．ｍ２ｔｓ」７３０ファイルと、「００００２．ｍ２ｔｓ」７４０ファイルとをインターリービングし、ストリーム・フィールド７５８に記録する。
【００９９】
このように、本発明の他の実施形態によるコンテンツ記録装置では、マルチアングルを提供するＡ／Ｖデータが、インターリービングされていない状態で受信される場合にも、コンテンツについての付加情報を利用して、Ａ／Ｖデータをインターリービングした後でブルーレイディスクに記録することによって、ユーザにマルチアングル機能を提供できる。
【０１００】
図８は、本発明の一実施形態によるコンテンツ再生装置で、コンテンツを再生する過程を示している。図８の左側には、コンテンツの記録に使われる付加情報の一例として、コンテンツ構成情報８００が図示され、図８の右側には、コンテンツに含まれたファイル及びコンテンツの再生過程が図示されている。
【０１０１】
コンテンツには、「Stream  ０．ＩＦＯ」ファイル８１０、「Stream  １．ＶＯＢ」ファイル８２０及び「ＩＬＶStream．ＶＯＢ」ファイル８３０が含まれる。
【０１０２】
「Stream  ０．ＩＦＯ」ファイル８１０は、ナビゲーション・データであって、Ａ／Ｖストリームの再生を制御するのに使われる。
【０１０３】
「Stream  １．ＶＯＢ」ファイル８２０は、マルチアングルを支援しないＡ／Ｖデータである。
【０１０４】
「ＩＬＶStream．ＶＯＢ」ファイル８３０は、マルチアングルを支援するＡ／Ｖデータである。「ＩＬＶStream．ＶＯＢ」ファイル８３０には、第１アングルのための「Stream  ２．ＶＯＢ」ファイル８３２、及び第２アングルのための「Stream  ３．ＶＯＢ」ファイル８３４がインターリービングされて存在する。
【０１０５】
以下では、本発明の一実施形態によるコンテンツ再生装置が、コンテンツ構成情報８００に基づいて、コンテンツを再生する過程について説明する。
【０１０６】
まず、ユーザがコンテンツの再生を要請すれば、コンテンツ再生装置は、コンテンツ伝送装置１００から、コンテンツ及びコンテンツ構成情報８００を受信する。
【０１０７】
コンテンツ及びコンテンツ構成情報８００が受信されれば、コンテンツ構成情報８００に基づいて、再生に使用するファイルの目録を生成する。ファイルの目録が生成されれば、コンテンツ再生装置は、ナビゲーション・データをまず処理し、ナビゲーション・データが指定したストリーム・ファイルを再生する。
【０１０８】
ナビゲーション・データが「Stream  ２．ＶＯＢ」８３２を指定したと仮定する。ナビゲーション・データが指定したファイルが、マルチアングルを支援するファイルであるならば、コンテンツ再生装置は、コンテンツ構成情報からマルチアングル情報を獲得する。従って、コンテンツ再生装置は、「Stream  ２．ＶＯＢ」８３２が、マルチアングルのうち一つである第１アングルのためのＡ／Ｖデータであり、「ＩＬＶStream．ＶＯＢ」ファイル８３０にインターリービングされていることが分かる。
【０１０９】
コンテンツ再生装置は、「Stream  ２．ＶＯＢ」８３２がインターリービングされた「ＩＬＶStream．ＶＯＢ」ファイル８３０にアクセスし、「Stream  ２．ＶＯＢ」８３２を再生する。このとき、コンテンツ再生装置は、ナビゲーション・ファイルから、「Stream  ２．ＶＯＢ」８３２に対するクリップ情報を獲得し、クリップ情報に基づいて、インターリービング・ブロックの大きさを確認する。この後、コンテンツ再生装置は、インターリービング・ブロックの大きさに基づいて、「ＩＬＶStream．ＶＯＢ」ファイル８３０の再生とスキップとを反復する。具体的には、インターリービング・ブロックの大きさごとに、「ＩＬＶStream．ＶＯＢ」ファイル８３０の再生とスキップとを反復することによって、「Stream  ２．ＶＯＢ」８３２を再生する。
【０１１０】
「Stream  ２．ＶＯＢ」８３２を再生していて、ユーザから、アングル転換を要請する制御信号（control  signal）８４２が入力されたと仮定する。
【０１１１】
コンテンツ再生装置は、転換されるアングルのためのＡ／Ｖデータファイルに係わるクリップ情報を、ナビゲーション・ファイルから獲得する。図８では、「Stream  ３．ＶＯＢ」８３４に係わるクリップ情報が獲得されるのである。コンテンツ再生装置は、「Stream  ３．ＶＯＢ」８３４に係わるクリップ情報を参考にして、インターリービング・ブロックの大きさを確認した後、インターリービング・ブロックの大きさごとに、再生とスキップとを反復することによって、「Stream  ３．ＶＯＢ」８３４を再生する。
【０１１２】
制御信号８４２が受信された時点が、アングル転換不可能な時点である場合には、アングル転換が可能な地点まで「Stream  ２．ＶＯＢ」８３２を再生し、その後からは、「Stream  ３．ＶＯＢ」８３４を再生する。
【０１１３】
図８とは異なり、コンテンツにマルチアングルを支援する「Stream  ２．ＶＯＢ」８３２ファイルと、「Stream  ３．ＶＯＢ」８３４ファイルとがインターリービングされていない状態で保存されている場合には、一般的なＡ／Ｖストリームを再生する場合のように、「Stream  ２．ＶＯＢ」８３２ファイルまたは「Stream  ３．ＶＯＢ」８３４ファイルを再生する。ただし、中間にアングルを変更しようとするユーザ要請が受信されれば、再生されているファイルのクリップ情報と、転換されるアングルに係わるファイルのクリップ情報とを獲得し、転換されるアングルに係わるＡ／Ｖデータのいずれの部分を再生するかを決定する。
【０１１４】
このように、本発明の一実施形態によるコンテンツ再生装置は、付加情報を利用することによって、コンテンツを記録していない状態でも、マルチアングルを支援するＡ／Ｖデータを再生できる。
【０１１５】
図９は、本発明の一実施形態によるコンテンツ伝送方法に係わるフローチャートを示している。
【０１１６】
段階Ｓ９１０では、コンテンツについての付加情報を生成する。コンテンツは、マルチアングルを支援するＡ／Ｖデータ、マルチアングルを支援しないＡ／Ｖデータ、及びＡ／Ｖデータの再生を制御するためのナビゲーション・データのうち少なくとも一つを含むことができる。付加情報は、コンテンツを記録媒体に記録するのに必要な情報であるならば、いかなる情報でも可能である。一例として、付加情報は、コンテンツを構成する少なくとも１つのデータについての情報であるコンテンツ構成情報を含むことができる。コンテンツは、コンテンツを構成する少なくとも１つのデータそれぞれの名称、大きさ情報、タイプ情報及びマルチアングルのうち、少なくとも一つを含むことができる。マルチアングル情報は、コンテンツを構成する少なくとも１つのデータそれぞれが、マルチアングルを支援するデータであるか否かを示す情報を含む。
【０１１７】
従って、コンテンツにマルチアングルを支援するＡ／Ｖデータが含まれれば、付加情報は、Ａ／Ｖデータの名称、Ａ／Ｖデータの大きさ、Ａ／Ｖデータのタイプ情報、及びＡ／Ｖデータがマルチアングルを支援するデータであることを示すマルチアングル情報のうち、少なくともいずれか一つが含まれうる。
【０１１８】
マルチアングルを支援するＡ／Ｖデータは、第１アングルを支援する第１  Ａ／Ｖデータと、第２アングルを支援する第２  Ａ／Ｖデータとがインターリービングされた状態のデータであるか、またはインターリービングされていない第１  Ａ／Ｖデータ及び第２
Ａ／Ｖデータのうち、少なくとも一つでありうる。このように、マルチアングルのための複数個のＡ／Ｖデータについての情報は、マルチアングル情報に含まれうる。
【０１１９】
段階Ｓ９２０では、コンテンツ及び付加情報を伝送する。
【０１２０】
図１０は、本発明の一実施形態によるコンテンツ記録方法に係わるフローチャートを示している。
【０１２１】
段階Ｓ１０１０では、コンテンツ及びコンテンツについての付加情報を受信する。付加情報は、コンテンツを構成する少なくとも１つのデータについての情報であるコンテンツ構成情報を含むことができる。
【０１２２】
段階Ｓ１０２０では、付加情報に基づいて、コンテンツを記録する。コンテンツが記録される保存空間は、ブルーレイディスク、ＤＶＤ、ハードディスクのように多様でありうる。
【０１２３】
マルチアングルを支援するＡ／Ｖデータは、インターリービングされた状態で、コンテンツに含まれうるが、そうではないこともある。マルチアングルを支援するＡ／Ｖデータをブルーレイディスクに記録する場合、Ａ／Ｖデータをインターリービングして記録せねばならない。従って、マルチアングルを支援するＡ／Ｖデータが、インターリービングされていない状態でコンテンツに含まれている場合には、インターリービングして記録する。
【０１２４】
図１１は、本発明の他の実施形態によるコンテンツ記録方法に係わるフローチャートを示している。
【０１２５】
段階Ｓ１１１０では、コンテンツについての付加情報に基づいて記録するファイルのリストを生成する。
【０１２６】
段階Ｓ１１２０では、ファイルのリストに基づいて、記録せねばならないファイルに、マルチアングルのためのＡ／Ｖデータファイルが含まるか否かを判断する。マルチアングルのためのＡ／Ｖデータファイルを記録せねばならない場合には、段階Ｓ１１３０を実行し、インターリービング情報を確認する。コンテンツは、Ａ／Ｖデータファイルの再生を制御するためのナビゲーション・データファイルを含むことができ、ナビゲーション・データに、インターリービング情報が含まれうる。
【０１２７】
段階Ｓ１１４０では、ファイルシステム・データを生成する。ファイルシステム・データは、データの配置及び記録を管理するデータである。
【０１２８】
段階Ｓ１１５０では、ファイルシステム・データを記録する。
【０１２９】
段階Ｓ１１６０では、ファイルシステム・データに基づいて、コンテンツを記録する。ブルーレイディスクには、マルチアングルのためのＡ／Ｖデータファイルがインターリービングされて記録されねばならない。もしマルチアングルのためのＡ／Ｖデータファイルが、インターリービングされていない状態でコンテンツに含まれた場合には、インターリービングして記録する。
【０１３０】
一方、前述の本発明の実施形態は、コンピュータで実行できるプログラムでもって作成可能であり、コンピュータで読み取り可能な記録媒体を利用し、前記プログラムを動作させる汎用デジタル・コンピュータで具現されうる。
【０１３１】
前記コンピュータで読み取り可能な記録媒体は、マグネチック記録媒体（例えば、ＲＯＭ（read-only  memory）、ＲＡＭ（random-access  memory）、フロッピー（登録商標）ディスク、ハードディスクなど）、光学的判読媒体（例えば、ＣＤ−ＲＯＭ、ＤＶＤなど）及びキャリアウェーブ（例えば、インターネットを介した伝送）のような記録媒体を含む。
【０１３２】
以上、本発明についてその望ましい実施形態を中心に説明した。本発明が属する技術分野で当業者は、本発明が本発明の本質的な特性から外れない範囲で変形された形態で具現されうることを理解することができるであろう。従って、開示された実施形態は、限定的な観点ではなくして、説明的な観点から考慮されねばならない。本発明の範囲は、前述の説明ではなくして、特許請求の範囲に示されており、それと同等な範囲内にあるあらゆる差異点は、本発明に含まれたものであると解釈されねばならない。
【図１】
2012502405.tif 000003
【図２】
2012502405.tif 000004
【図３】
2012502405.tif 000005
【図４】
2012502405.tif 000006
【図５】
2012502405.tif 000007
【図６】
2012502405.tif 000008
【図７】
2012502405.tif 000009
【図８】
2012502405.tif 000010
【図９】
2012502405.tif 000011
【図１０】
2012502405.tif 000012
【図１１】
2012502405.tif 000013
【手続補正書】
【提出日】平成23年3月24日(2011.3.24)
【手続補正１】
【補正対象書類名】特許請求の範囲
【補正対象項目名】全文
【補正方法】変更
【補正の内容】
【特許請求の範囲】
【請求項１】
コンテンツ伝送装置でコンテンツを伝送する方法において、
マルチアングルのためのＡ／Ｖデータが含まれたコンテンツの記録に使われる、前記コンテンツについての付加情報を生成する段階と、
前記コンテンツと前記付加情報とを、前記付加情報に基づいて、前記コンテンツを記録媒体に記録するコンテンツ記録装置に伝送する段階と、を含むことを特徴とするコンテンツ伝送方法。
【請求項２】
前記付加情報は、前記コンテンツに係わるコンテンツ構成情報を含み、
前記コンテンツ構成情報は、前記Ａ／Ｖデータの名称、前記Ａ／Ｖデータの大きさ情報、前記Ａ／Ｖデータのタイプ情報、及び前記Ａ／Ｖデータがマルチアングルを支援するか否かを示すマルチアングル情報のうち、少なくともいずれか一つを含むことを特徴とする請求項１に記載のコンテンツ伝送方法。
【請求項３】
前記Ａ／Ｖデータは、前記マルチアングルのうち一つである第１アングルのための第１Ａ／Ｖデータ、及び前記マルチアングルのうち他の一つである第２アングルのための第２  Ａ／Ｖデータを含み、
前記伝送する段階は、前記第１  Ａ／Ｖデータ及び前記第２  Ａ／Ｖデータをインターリービングして伝送することを特徴とする請求項２に記載のコンテンツ伝送方法。
【請求項４】
前記マルチアングル情報は、
インターリービングされた前記第１  Ａ／Ｖデータ、及び前記第２  Ａ／Ｖデータそれぞれについての情報を含むことを特徴とする請求項３に記載のコンテンツ伝送方法。
【請求項５】
前記コンテンツは、
前記Ａ／Ｖデータの再生を制御するのに使われるナビゲーション・データをさらに含むことを特徴とする請求項１に記載のコンテンツ伝送方法。
【請求項６】
コンテンツ記録装置でコンテンツを記録する方法において、
マルチアングルのためのＡ／Ｖデータが含まれたコンテンツと、前記コンテンツの記録に使われる前記コンテンツについての付加情報と、を受信する段階と、
前記付加情報に基づいて、前記コンテンツを記録媒体に記録する段階と、を含むことを特徴とするコンテンツ記録方法。
【請求項７】
前記付加情報は、前記コンテンツについての情報であるコンテンツ構成情報を含み、
前記コンテンツ構成情報は、前記Ａ／Ｖデータの名称、前記Ａ／Ｖデータの大きさ情報、前記Ａ／Ｖデータのタイプ情報、及び前記Ａ／Ｖデータがマルチアングルを支援するか否かを示すマルチアングル情報のうち、少なくともいずれか一つを含むことを特徴とする請求項６に記載のコンテンツ記録方法。
【請求項８】
前記マルチアングルのうち一つである第１アングルのための第１  Ａ／Ｖデータ、及び前記マルチアングルのうち他の一つである第２アングルのための第２  Ａ／Ｖデータがインターリービングされて含まれた前記Ａ／Ｖデータを受信する段階をさらに含むことを特徴とする請求項７に記載のコンテンツ記録方法。
【請求項９】
コンテンツを伝送する装置において、
マルチアングルのためのＡ／Ｖデータが含まれたコンテンツの記録に使われる、前記コンテンツについての付加情報を生成する情報生成部と、
前記コンテンツと前記付加情報とを、前記付加情報に基づいて、前記コンテンツを記録媒体に記録するコンテンツ記録装置に伝送する伝送部と、を含むことを特徴とするコンテンツ伝送装置。
【請求項１０】
前記付加情報は、前記コンテンツについての情報であるコンテンツ構成情報を含み、
前記コンテンツ構成情報は、前記Ａ／Ｖデータの名称、前記Ａ／Ｖデータの大きさ情報、前記Ａ／Ｖデータのタイプ情報、及び前記Ａ／Ｖデータがマルチアングルを支援するか否かを示すマルチアングル情報のうち、少なくともいずれか一つを含むことを特徴とする請求項９に記載のコンテンツ伝送装置。
【請求項１１】
前記Ａ／Ｖデータは、前記マルチアングルのうち一つである第１アングルのための第１Ａ／Ｖデータ、及び前記マルチアングルのうち他の一つである第２アングルのための第２  Ａ／Ｖデータを含み、
前記伝送部は、前記第１  Ａ／Ｖデータと、前記第２  Ａ／Ｖデータとをインターリービングして伝送することを特徴とする請求項１０に記載のコンテンツ伝送装置。
【請求項１２】
前記マルチアングル情報は、
インターリービングされた前記第１  Ａ／Ｖデータ、及び前記第２  Ａ／Ｖデータそれぞれについての情報を含むことを特徴とする請求項１１に記載のコンテンツ伝送装置。
【請求項１３】
前記コンテンツは、
前記Ａ／Ｖデータの再生を制御するのに使われるナビゲーション・データをさらに含むことを特徴とする請求項１２に記載のコンテンツ伝送装置。
【請求項１４】
コンテンツを記録する装置において、
マルチアングルのためのＡ／Ｖデータが含まれたコンテンツと、前記コンテンツの記録に使われる前記コンテンツについての付加情報と、を受信する受信部と、
前記付加情報に基づいて、前記コンテンツを記録媒体に記録する記録部と、を含むことを特徴とするコンテンツ記録装置。
【請求項１５】
請求項１に記載の方法を実行させるためのプログラムが記録されたコンピュータで読み取り可能な記録媒体。
【国際調査報告】
2012502405.tif 000014
2012502405.tif 000015